(57)【要約】      （修正有）【課題】便利に携帯や操作ができるディジタル装置支持フレーム構造を提供する。【解決手段】本ディジタル装置は、負荷ユニット１と角度調整機構２及び支持ユニット３により構成する。上記負荷ユニットは、ディジタル装置を設置して固定するための負荷盤１１があり、上記負荷盤の中央に、穴縁に複数の係止槽１１２が形成される円形状嵌合穴１１１を設ける。角度調整機構は、周縁に、複数の弾性係止装置２３の円形状突出座２２を設け、上記円形状突出座が、負荷ユニットの負荷盤の円形状嵌合穴内に、可動的に嵌合し、さらに支持ユニット３と角度調整機構２を、枢着させて成る。【選択図】図１
0003168597.tif 000002
【実用新案登録請求の範囲】
【請求項１】
ディジタル装置を固定するための負荷盤から構成され、上記負荷盤の中央に、円形状嵌合穴が形成され、また、負荷盤の正面において、上記円形状嵌合穴の穴縁に、複数の係止槽が形成される負荷ユニットと、
円形状突出座があり、上記円形状突出座の周縁に、複数の弾性係止装置が設けられ、上記円形状突出座が、負荷ユニットの負荷盤の円形状嵌合穴内に、可動的に嵌合され、負荷ユニットが、自在的に、横式や竪式に変換される角度調整機構と、
角度調整機構に、枢着される支持ユニットと、
が含有される、
ことを特徴とするディジタル装置支持フレーム構造。
【請求項２】
上記負荷盤の周縁に、辺枠が形成され、上記辺枠上に、複数の欠け口が形成され、また、上記負荷盤の内面に、軟性保護パッドが結合され、四隅に、上記軟性保護パッドが突出して四つの滑り止めパッドを形成するための貫通孔が形成されることを特徴とする請求項１に記載のディジタル装置支持フレーム構造。
【請求項３】
上記角度調整機構の一側において、枢着部が伸び、上記枢着部が、シャフトと支持単軸受セットにより、上記支持ユニットと角度調整機構との間において、可動的に枢着されることを特徴とする請求項１に記載のディジタル装置支持フレーム構造。
【請求項４】
上記角度調整機構から、回転テーブルと連接部材及び定位リング部材からなり、上記回転テーブルの正面に、円形状突出座が設けられ、上記円形状突出座の周縁に、複数の弾性係止装置が設けられ、上記円形状突出座が、可動的に、負荷ユニットの負荷盤の円形状嵌合穴内に嵌合され、また、上記回転テーブルの裏面に、突出リングが設けられ、上記突出リングの内縁壁が、等距離に、複数の定位係止槽が設けられ、上記連接部材の正面に、上記回転テーブルの突出リング外縁に嵌合される嵌合リング部が設けられ、上記嵌合リング部内に、スリーブが設けられ、上記スリーブの周縁に、複数の係止突出部が設けられ、定位リング部材が、リング状体で、連接部材のスリーブの上に嵌設され、その内縁において、等距離に、連接部材スリーブ周縁にある係止突出部と係止する複数の係止欠け口が設けられ、外縁において、複数の螺旋状に伸びた弾性定位突出が形成され、上記弾性定位突出の末端に、常に、上記回転テーブルの突出リングの内縁壁にある定位係止槽内に付勢されて係止定位されるように、係止抵当部が設置されることを特徴とする請求項１に記載のディジタル装置支持フレーム構造。
【請求項５】
上記連接部材の一側において、枢着部が伸び、上記枢着部が、シャフトと支持単軸受セットにより、上記支持ユニットと角度調整機構との間において、可動的に枢着されることを特徴とする請求項４に記載のディジタル装置支持フレーム構造。
【請求項６】
上記支持ユニットが、ほぼＣ形状のリング座であり、柔軟性のパッド体の第一半リング部と第二半リング部とが、対向して結合されることからなることを特徴とする請求項１に記載のディジタル装置支持フレーム構造。
【請求項７】
上記角度調整機構において、錘座に連結された支持部材が枢着されることを特徴とする請求項１に記載のディジタル装置支持フレーム構造。
【考案の詳細な説明】
【技術分野】
【０００１】
本考案は、支持フレーム構造に関し、特に、ディジタル装置が設置されて固定され、複数の使用態様が変換されることができ、また、必要に応じて調整されることができるディジタル装置支持フレーム構造に関する。
【背景技術】
【０００２】
科技の進歩とともに、タブレットＰＣやＰＤＡ及び電子書籍リーダー等のディジタル装置に対して、近年のタッチ技術の成熟やアプリケーションの大量開発と応用であり、そして、大きい面積で、自在に横式や竪式モードに変換でき、また、軽量化できることにより、表示スクリーンは、便利に携帯でき、手で持っても操作し易いため、ユーザーから大好評を得られる。
【０００３】
しかしながら、このようなディジタル装置は、使用される場合、幾つかの欠点が残されている。例えば、一つの手で、ディジタル装置を持って、もう一つの手で、スクリーンをタッチして制御する場合、ディジタル装置が、不注意に手から滑り落ちると、膨大の損失になり、また、ディジタル装置を使用するとき、補助設備がない場合、手で長時間に持つと、手が不快的になり、また、ディジタル装置を平らに机の上に置いて使用すると、視野角の差異やスクリーンでの光反射により、ユーザーが、スクリーンに表示されている画面を見にくくなって、スクリーンをタッチして操作することが不便になり、また、ある傾斜角で、机や品物に寄り掛かって設置する場合、ディジタル装置は、滑り落ちる恐れがあるだけでなく、より良い傾斜角度に調整することも、簡単ではないため、実用的とはいえない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、負荷ユニットと角度調整機構とが、簡単に分解して独自に利用でき、便利に携帯でき、また、上記負荷ユニットが、ユーザーが手で操作する時、負荷盤中央の円形状嵌合穴に、ユーザーが指で係合でき、手持ちがより安定的になり、ディジタル装置が、不注意に手から滑り落ちることを防止でき、そして、横式や竪式モードでも適用できるディジタル装置支持フレーム構造を提供する。
【０００６】
本考案の他の目的は、支持ユニットを畳み合うことができ、支持ユニットと角度調整機構と、取っ手として、安定的に手で持って操作でき、或いは、支持ユニットで、適当な角度で、机に支持して使用でき、また、手持ちや机に支持しても、多角度の偏角に変換でき、また、横式や竪式モードに適用できるディジタル装置支持フレーム構造を提供する。
【０００７】
本考案の更に他の目的は、その支持ユニットが、取っ手として利用でき、便利に携帯でき、また、ホックとして、壁や他の位置に吊り下げることができ、また、吊り下げる場合、多角度の偏角に調整でき、実用性がより向上されるディジタル装置支持フレーム構造を提供する。
【課題を解決するための手段】
【０００８】
請求項１の考案は、ディジタル装置を固定するための負荷盤から構成され、上記負荷盤の中央に、円形状嵌合穴が形成され、また、負荷盤の正面において、上記円形状嵌合穴の穴縁に、複数の係止槽が形成される負荷ユニットと、円形状突出座があり、上記円形状突出座の周縁に、複数の弾性係止装置が設けられ、上記円形状突出座が、負荷ユニットの負荷盤の円形状嵌合穴内に、可動的に嵌合され、負荷ユニットが、自在的に、横式や竪式に変換される角度調整機構と、角度調整機構に、枢着される支持ユニットと、が含有される、ことを特徴とするディジタル装置支持フレーム構造である。
【０００９】
請求項２の考案は、上記負荷盤の周縁に、辺枠が形成され、上記辺枠上に、複数の欠け口が形成され、また、上記負荷盤の内面に、軟性保護パッドが結合され、四隅に、上記軟性保護パッドが突出して四つの滑り止めパッドを形成するための貫通孔が形成されることを特徴とする請求項１に記載のディジタル装置支持フレーム構造である。
【００１０】
請求項３の考案は、上記角度調整機構の一側において、枢着部が伸び、上記枢着部が、シャフトと支持単軸受セットにより、上記支持ユニットと角度調整機構との間において、可動的に枢着されることを特徴とする請求項１に記載のディジタル装置支持フレーム構造である。
【００１１】
請求項４の考案は、上記角度調整機構から、回転テーブルと連接部材及び定位リング部材からなり、上記回転テーブルの正面に、円形状突出座が設けられ、上記円形状突出座の周縁に、複数の弾性係止装置が設けられ、上記円形状突出座が、可動的に、負荷ユニットの負荷盤の円形状嵌合穴内に嵌合され、また、上記回転テーブルの裏面に、突出リングが設けられ、上記突出リングの内縁壁が、等距離に、複数の定位係止槽が設けられ、上記連接部材の正面に、上記回転テーブルの突出リング外縁に嵌合される嵌合リング部が設けられ、上記嵌合リング部内に、スリーブが設けられ、上記スリーブの周縁に、複数の係止突出部が設けられ、定位リング部材が、リング状体で、連接部材のスリーブの上に嵌設され、その内縁において、等距離に、連接部材スリーブ周縁にある係止突出部と係止する複数の係止欠け口が設けられ、外縁において、複数の螺旋状に伸びた弾性定位突出が形成され、上記弾性定位突出の末端に、常に、上記回転テーブルの突出リングの内縁壁にある定位係止槽内に付勢されて係止定位されるように、係止抵当部が設置されることを特徴とする請求項１に記載のディジタル装置支持フレーム構造である。
【００１２】
請求項５の考案は、上記連接部材の一側において、枢着部が伸び、上記枢着部が、シャフトと支持単軸受セットにより、上記支持ユニットと角度調整機構との間において、可動的に枢着されることを特徴とする請求項４に記載のディジタル装置支持フレーム構造である。
【００１３】
請求項６の考案は、上記支持ユニットが、ほぼＣ形状のリング座であり、柔軟性のパッド体の第一半リング部と第二半リング部とが、対向して結合されることからなることを特徴とする請求項１に記載のディジタル装置支持フレーム構造である。
【００１４】
請求項７の考案は、上記角度調整機構において、錘座に連結された支持部材が伸びることを特徴とする請求項１に記載のディジタル装置支持フレーム構造である。
【００１５】
以下、図面を参照しながら、本考案の特徴や技術内容について、詳しく説明するが、それらの図面等は、参考や説明のためであり、本考案は、それによって制限されることが無い。
【考案を実施するための形態】
【００１６】
図１乃至図４を参照しながら、本考案は、負荷ユニット１と角度調整機構２及び支持ユニット３が含まれ、上記負荷ユニット１は、負荷盤１１の内面に、軟性保護パッド１２が嵌合されてから構成され、ディジタル装置Ａを設置して固定するために、使われ、上記負荷盤１１は、中央に、円形状嵌合穴１１１が形成され、また、正面において、上記円形状嵌合穴１１１の穴縁に、等距離に四つの係止槽１１２が形成され、また、周縁に、辺枠１１３が設けられ、辺枠１１３に、複数の欠け口１１３１が形成され、また、図６と図７のように、上記負荷盤１１は、四隅に、それぞれ、軟性保護パッド１２を突出させて四つの滑り止めパッド１２１が形成されるための貫通孔１１４が形成され、角度調整機構２は、正面に円形状突出座２２が設けられる座体２１であり、上記円形状突出座２２は、周縁に、二つの対向する弾性係止装置２３があり、また、座体２１の一側において、上記円形状突出座２２を負荷ユニット１の負荷盤１１の円形状嵌合穴１１１内に嵌合させるための枢着部２４が伸び、二つの弾性係止装置２３で負荷盤１１の円形状嵌合穴１１１の穴縁に位置して対向する二つの係止槽１１２内に係止して結合され、支持ユニット３は、ほぼＣ形状のリング座で、柔軟性を有するパッド体の第一半リング部３１と第二半リング部３２とを対向して結合することからなり、角度調整機構２の枢着部２４が、支持ユニット３の開口内に位置し、シャフト４を組立てわせることにより、上記支持ユニット３と角度調整機構２は、相対的に可動に枢着される。
【００１７】
本考案によれば、図５のように、角度調整機構２の二つの弾性係止装置２３を押すと、上記二つの弾性係止装置２３が、負荷ユニット１の負荷盤１１の係止槽１１２から脱離でき、そのため、負荷ユニット１を角度調整機構２から外すことができ、また、負荷ユニット１に、ディジタル装置Ａが負荷されて、ユーザーが手で持って操作する場合、負荷ユニット１の負荷盤１１の中央にある円形状嵌合穴１１１に、ユーザーが指で係合することにより、ディジタル装置Ａを手で持つことがより安定的、そして、より安全的になり、ディジタル装置Ａが、不注意に手から滑り落ちることを防止でき、また、その嵌合穴１１１が、円形状でありながら、負荷盤１１の中央に設置されるため、ディジタル装置Ａは、横式や竪式モードとも適用できる。
【００１８】
また、図６のように、本考案によれば、ほぼＣ形状のリング座の支持ユニット３が、回転されて負荷ユニット１の裏面に密着して角度調整機構２の周縁に嵌合されるように収納されることができ、この時、上記収納状態の支持ユニット３を取っ手として、ユーザーが握ると、ディジタル装置Ａをより安定的に且つ安全的に持つことができ、ディジタル装置Ａが、不注意に手から滑り落ちることを防止でき、また、その支持ユニット３が、ほぼＣ形状のリング座であるため、ディジタル装置Ａは、横式や竪式モードでも利用できる。
【００１９】
また、机に設置して使用する場合、図７のように、支持ユニット３を適当な角度に枢着して、上記支持ユニット３で机に支持し、また、支持ユニット３に結合された柔軟性を有するパッド体を利用して、机と摩擦力を発生できるため、滑り止めの効果が得られ、安定に定位でき、この時、負荷ユニット１が、適当な角度で傾斜状になり、負荷ユニット１上に負荷されたディジタル装置Ａも、適当な角度に傾斜し、そのため、ユーザーがディジタル装置Ａを操作することがより便利になる。
【００２０】
また、ディジタル装置Ａを竪式や横式に調整する時、図８のように、角度調整機構２の二つの弾性係止装置２３を押すことにより、上記二つの弾性係止装置２３が、負荷ユニット１の負荷盤１１の係止槽１１２から脱離でき、この時、負荷ユニット１を角度調整機構２から取り外して、九十度に回転してから、再び、角度調整機構２の円形状突出座２２を、負荷ユニット１の負荷盤１１の円形状嵌合穴１１１内に嵌合させ、二つの弾性係止装置２３を、負荷盤１１の円形状嵌合穴１１１の穴縁に位置して対向する二つの係止槽１１２内に係止すると、簡単に、ディジタル装置Ａの竪式や横式角度を変換できる。
【００２１】
また、図９を参照しながら、本考案の他の実施例であり、上記負荷ユニット１の負荷盤１１は、正面において、円形状嵌合穴１１１の穴縁にも、二つの対向する係止槽１１２が設置されてもよく、角度調整機構２は、回転テーブル２５と連接部材２６及び定位リング部材２７からなり、上記回転テーブル２５は、正面に、円形状突出座２５１が設けられ、上記円形状突出座２５１の周縁に、対向する二つの弾性係止装置２５２が設置され、上記円形状突出座２５１が、負荷ユニット１の負荷盤１１の円形状嵌合穴１１１内に嵌合され、二つの弾性係止装置２５２が、負荷盤１１の円形状嵌合穴１１１の穴縁に位置して対向する二つの係止槽１１２内に係止され、また、上記回転テーブル２５の裏面に、突出リング２５３が設けられ、そして、上記突出リング２５３の内縁壁に、等距離に、複数の凹円弧状の定位係止槽２５３１が形成され、上記連接部材２６の正面に、嵌合リング部２６１が形成されて、上記回転テーブル２５の突出リング２５３の外縁に嵌合され、上記嵌合リング部２６１内に、スリーブ２６２が設置され、上記スリーブ２６２の周縁に、等距離に、四つの係止突出部２６３が形成され、また、連接部材２６の一側において、枢着部２６４が伸び、上記枢着部２６４が、ほぼＣ形状のリング座の支持ユニット３の開口内に位置し、シャフト４を組立てることにより、上記支持ユニット３と角度調整機構２との間おいて、可動的に枢着され、定位リング部材２７が、リング状体で、連接部材２６のスリーブ２６２上に嵌設され、その内縁に、等距離に、連接部材２６のスリーブ２６２の周縁にある四つの係止突出部２６３に係止できる四つの係止欠け口２７１が設けられ、外縁に、四つの螺旋状に伸びる弾性定位突出２７２が設置され、上記弾性定位突出２７２の末端に、円弧状係止抵当部２７２１が形成され、常に、回転テーブル２５の突出リング２５３の内縁壁の定位係止槽２５３１内へ付勢されて係止され、これにより、定位効果が得られて、負荷ユニット１の角度が所定に固定される。
【００２２】
負荷ユニット１に設置されたディジタル装置Ａの角度を調整する場合、図１０と図１１に示される本考案の他の実施例のように、負荷ユニット１を、角度調整機構２の回転テーブル２５とともに、時計回りや逆時計回りに回転すると、定位リング部材２７の弾性定位突出２７２が、回転テーブル２５の突出リング２５３の内縁壁にある定位係止槽２５３１から脱離してから、回転テーブル２５の突出リング２５３の内縁壁に沿って摺動し、負荷ユニット１とともに、回転テーブル２５が九十度に回転すると、定位リング部材２７の四つの弾性定位突出２７２の末端にある係止抵当部２７２１が、改めて、回転テーブル２５の突出リング２５３の内縁壁にある定位係止槽２５３１内へ付勢されて係止され、これだけで、簡単に、ディジタル装置Ａを竪式や横式の角度に変換できる。
【００２３】
また、図１２を参照しながら、本考案の他の実施例は、上記角度調整機構２にも、支持部材５が枢着され、上記支持部材５と錘座６が結合されるため、上記錘座６により、安定的に、机の上に設置されることができる。
【００２４】
上記の具体的な実施例の構造によれば、次の利点が得られ、
その１は、負荷ユニット１と角度調整機構２とが、係止によって固定されるため、上記負荷ユニット１を簡単に角度調整機構２から外して独自に利用でき、便利に携帯でき、また、上記負荷ユニット１をユーザーが手で握って操作する時、負荷盤１１の中央にある円形状嵌合穴１１１に、ユーザーが指を係合でき、それから、軟性保護パッド１２が、負荷盤１１の四隅にある貫通孔１１４から突出して四つの滑り止めパッド１２１が形成されるため、手で持つことが、より安定的になり、操作する時、ディジタル装置Ａが不注意に手から滑り落ちることを防止でき、また、横式や竪式モードとも、適用でき、その２は、使用する時、負荷ユニット１の裏面に貼り付いて角度調整機構２の周縁に嵌合するように、支持ユニット3を収納でき、そして、支持ユニット3と角度調整機構２を取っ手として、安定的に手で握って操作でき、或いは、支持ユニット3により、適當角度に枢着されて机に支持されて使用され、手で持つことや机に支持されることにも、支持ユニット3とディジタル装置Ａとを、横式や竪式モードに変換できその３は、そのほぼＣ形状のリング座の支持ユニット3は、取っ手として使用でき、便利に携帯でき、また、使用に応じて、ホックとして、壁に吊り下げることができ、実用性が向上される。
【００２５】
そのため、本考案は、より進歩的かつより実用的で、法に従って実用新案登録請求を出願する。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２７】
【図１】本考案の立体分解図
【図２】本考案の一部の立体組立て図
【図３】本考案の立体組立て図
【図４】本考案の組立て断面図
【図５】本考案の負荷ユニットを独自に使用する状態の概念図
【図６】本考案の支持ユニットが収納される状態の使用概念図
【図７】本考案を机に設置されて使用される状態の概念図
【図８】本考案の角度を調整する状態の作動図
【図９】本考案の他の実施例の立体分解図
【図１０】本考案の他の実施例の角度を調整する状態の作動図
【図１１】本考案の他の実施例の角度を調整する状態の断面概念図
【図１２】本考案の更に他の実施例の立体図
【符号の説明】
【００２８】
１  負荷ユニット
１１  負荷盤
１１１  嵌合穴
１１２  係止槽
１１３  辺枠
１１３１  欠け口
１１４  貫通孔
１２  保護パッド
１２１  滑り止めパッド
２  角度調整機構
２１  座体
２２  突出座
２３  弾性係止装置
２４  枢着部
２５  回転テーブル
２５１  突出座
２５２  弾性係止装置
２５３  突出リング
２５３１  定位係止槽
２６  連接部材
２６１  嵌合リング部
２６２  スリーブ
２６３  係止突出部
２６４  枢着部
２７  定位リング部材
２７１  係止欠け口
２７２  弾性定位突出
２７２１  係止抵当部
３  支持ユニット
３１  第一半リング部
３２  第二半リング部
４  シャフト
５  支持部材
６  錘座
Ａ  ディジタル装置
【図１】
0003168597.tif 000003
【図２】
0003168597.tif 000004
【図３】
0003168597.tif 000005
【図４】
0003168597.tif 000006
【図５】
0003168597.tif 000007
【図６】
0003168597.tif 000008
【図７】
0003168597.tif 000009
【図８】
0003168597.tif 000010
【図９】
0003168597.tif 000011
【図１０】
0003168597.tif 000012
【図１１】
0003168597.tif 000013
【図１２】
0003168597.tif 000014
【手続補正書】
【提出日】平成23年4月12日(2011.4.12)
【手続補正１】
【補正対象書類名】実用新案登録請求の範囲
【補正対象項目名】全文
【補正方法】変更
【補正の内容】
【実用新案登録請求の範囲】
【請求項１】
デジタル装置を固定するための負荷盤の中央に、穴縁に対向する係止部を所望の組数だけ形成した円形状嵌合穴を穿設し、該円形状嵌合穴に円形座体と同心に、且つ、前記円形状嵌合穴と同径から成るとともに、周縁の対象位置に弾性係止装置を形成した円形状突出座を重ね合わせて成る角度調整機構の該円形状突出座と弾性係止装置とを、前記円形状嵌合穴と該穴の穴縁に対向して形成した係止部に嵌合し、該角度調整機構の円形座体の周縁はほぼＣ型状のリング座を形成する第１リング部と第２リング部で挟み込む支持ユニットとし、該支持ユニットを構成するＣ型状のリング座の内側空白部と、Ｃ型状リングの対向端の開口部に位置して、前記空白部、並びに開口部を塞ぐ役割を果たし、円形座体の裏打ち材としての連接部材を、枢着部材として配置した構成とすることを特徴とするデジタル装置フレーム構造。
【請求項２】
上記負荷盤の周縁に、辺枠が形成され、上記辺枠上に、複数の欠け口が形成され、また、上記負荷盤の内面に、軟性保護パッドが結合され、四隅に、上記軟性保護パッドが突出して四つの滑り止めパッドを形成するための貫通孔が形成されることを特徴とする請求項１に記載のディジタル装置支持フレーム構造。
【請求項３】
上記角度調整機構の一側において、枢着部が伸び、上記枢着部が、シャフトと支持単軸受セットにより、上記支持ユニットと角度調整機構との間において、可動的に枢着されることを特徴とする請求項１に記載のディジタル装置支持フレーム構造。
【請求項４】
上記角度調整機構が回転テーブルと連接部材及び定位リング部材からなり、上記回転テーブルの正面に、円形状突出座が設けられ、上記円形状突出座の周縁に、複数の弾性係止装置が設けられ、上記円形状突出座が、可動的に、負荷ユニットの負荷盤の円形状嵌合穴内に嵌合され、また、上記回転テーブルの裏面に、突出リングが設けられ、上記突出リングの内縁壁が、等距離に、複数の定位係止槽が設けられ、上記連接部材の正面に、上記回転テーブルの突出リング外縁に嵌合される嵌合リング部が設けられ、上記嵌合リング部内に、スリーブが設けられ、上記スリーブの周縁に、複数の係止突出部が設けられ、定位リング部材が、リング状体で、連接部材のスリーブの上に嵌設され、その内縁において、等距離に、連接部材スリーブ周縁にある係止突出部と係止する複数の係止欠け口が設けられ、外縁において、複数の螺旋状に伸びた弾性定位突出が形成され、上記弾性定位突出の末端に、常に、上記回転テーブルの突出リングの内縁壁にある定位係止槽内に付勢されて係止定位されるように、係止抵当部が設置されることを特徴とする請求項１に記載のディジタル装置支持フレーム構造。
【請求項５】
上記連接部材の一側において、枢着部が伸び、上記枢着部が、シャフトと支持単軸受セットにより、上記支持ユニットと角度調整機構との間において、可動的に枢着されることを特徴とする請求項４に記載のディジタル装置支持フレーム構造。
【請求項６】
上記支持ユニットが、ほぼＣ形状のリング座であり、柔軟性のパッド体の第一半リング部と第二半リング部とが、対向して結合されることからなることを特徴とする請求項１に記載のディジタル装置支持フレーム構造。
【請求項７】
上記角度調整機構において、錘座に連結された支持部材が枢着されることを特徴とする請求項１に記載のディジタル装置支持フレーム構造。